(57)【要約】      （修正有）【課題】長期間に亘って安定して遊間を維持することで堤防及び橋脚の強度を長期間に亘り担保することができる鞘管構造を提供する。【解決手段】鞘管構造は、堤防を構成する堤体Ｔと、この堤体Ｔ内に立設されるコンクリート製である橋脚Ｂと、橋脚Ｂの周囲に平面視所定寸法をなす空間である遊間Ｓを介して平面視環状に設けられたコンクリート製品である鞘管１と、遊間Ｓの上縁において鞘管１と橋脚Ｂとの間を伸び能力が１００％〜２５０％である高弾性接着剤により密閉した土砂流入防止部とを具備することを特徴とする。【選択図】図１
2015151755.tif 000002
【特許請求の範囲】
【請求項１】
堤防を構成する堤体内に立設されるコンクリート製である橋脚と、
前記橋脚の周囲に平面視所定寸法をなす空間である遊間を介して平面視環状に設けられたコンクリート製品である鞘管と、
前記遊間の上縁において前記鞘管と前記橋脚との間を伸び能力が１００％〜２５０％である高弾性接着剤により密閉した土砂流入防止部とを具備することを特徴とする鞘管構造。
【請求項２】
前記高弾性接着剤の密度が０．７〜１．２ｇ／ｃｍ3である請求項１記載の鞘管構造。
【請求項３】
前記土砂流入防止部が、前記高弾性接着剤と、この高弾性接着剤を下方から支持する弾性変形可能なバックアップ材とを有している請求項１又は２記載の鞘管構造。
【請求項４】
前記バックアップ材が、前記高弾性接着剤が接着し得ない非極性物質からなる請求項３記載の鞘管構造。
【請求項５】
前記鞘管と前記堤体を構成するフーチング基礎との間に、前記鞘管に一体的に下方に突出させて設けられたアンカーバー及び前記フーチング基礎に設けられた前記高弾性接着剤からなり前記アンカーバーを被覆する高弾性アンカー部とを有したフーチング接合部を具備している請求項１、２、３又は４記載の鞘管構造。
【請求項６】
前記鞘管が上下方向に連結される複数の鞘管ブロックからなるものであり、
上側の前記鞘管ブロックに一体的に下方に突出させて設けられたアンカーバー及び下側の前記鞘管ブロックに設けられた前記高弾性接着剤からなり前記アンカーバーを被覆する高弾性アンカー部を有した上下方向接合部を具備している請求項１、２、３、４又は５記載の鞘管構造。
【発明の詳細な説明】
【技術分野】
【０００１】
本発明は、堤防を構成する堤体と当該堤体内に立設される橋脚との間に遊間を形成すべく鞘管を設けた鞘管構造に関するものである。
【背景技術】
【０００２】
河川に橋を架設する際は通常、堤防を構成する堤体内に設けないことが基本方針とされている。これは堤防と橋脚とでは平常時の交通振動や地震時の振動性状が異なること等により、堤防を構成する堤体と橋脚との間に隙間ができやすく、漏水や土砂の流失を招来し易いためである。
【０００３】
但し、河川の幅や堤防の規模によっては例外的に堤体に橋脚が設けられることがある。その場合、橋脚の周囲に遊間を形成するための鞘管を設けた、所謂鞘管構造を適用することが行われる。橋脚の周囲に特許文献１に記載した構成の如く遊間を設けると、堤体と橋脚との間の振動性状の相違を遊間が吸収するため、振動による互いの干渉や橋脚周囲の土砂の流出を抑制することができるからである。
【０００４】
しかしながら、橋脚に鞘管構造を適用した場合であっても、施工後は通常、鞘管は上端部分が地表に露出する程度まで土砂で覆われた状態とするため、平常時の交通振動や地震時の振動により、遊間に土砂が流入してしまい、流入した土砂を介して橋脚と鞘管が互いに干渉してしまうという不具合が起こり得る。そこで従来では遊間の上端にシール材を設ける事により遊間への土砂の流入を抑止する措置が採られているが、振動によって時間の経過とともにシール材と鞘管又は橋脚との間に隙間が形成されてしまう。そのため、遊間の上端にシール材を設けたとしても施工後一定期間が経過すると前記隙間からやはり土砂が流入してしまうということが起こっているのが現状である。
【先行技術文献】
【特許文献】
【０００５】
【特許文献１】特開２００１−１７２９１４号公報
【発明の概要】
【発明が解決しようとする課題】
【０００６】
本発明は、上述したような現状に着目したものであり、長期間に亘って安定して遊間を維持することができる鞘管構造を提供することを目的としている。
【課題を解決するための手段】
【０００７】
本発明は、このような目的を達成するために、次のような手段を講じたものである。
【０００８】
すなわち本発明に係る鞘管構造は、堤防を構成する堤体内に立設されるコンクリート製である橋脚と、前記橋脚の周囲に平面視所定寸法をなす空間である遊間を介して平面視環状に設けられたコンクリート製品である鞘管と、前記遊間の上縁において前記鞘管と前記橋脚との間を伸び能力が１００％〜２５０％である高弾性接着剤により密閉した土砂流入防止部とを具備することを特徴とする。
【０００９】
このようなものであれば、伸び能力が１００％〜２５０％である高弾性接着剤により密閉した土砂流入防止部により、橋脚及びの鞘管の振動によって遊間の寸法の変位が起こっても高弾性接着剤が適宜伸縮することによって遊間の上端が密閉された状態を安定して維持することができる。その結果本発明によれば、長期間に亘って安定して遊間を維持することで堤防及び橋脚の強度を長期間に亘り担保することができる鞘管構造を実現することが可能となる。
【００１０】
また、施工時に高弾性接着剤が垂れ下がってしまうことなく所要の形状に土砂流入防止部を仕上げやすいものとするためには、高弾性接着剤の密度が０．７〜１．２ｇ／ｃｍ3であることが好ましい。
【００１１】
そして、土砂流入防止部が、高弾性接着剤と、この高弾性接着剤を下方から支持する弾性変形可能なバックアップ材とを有しているものであれば、橋脚及び鞘管との振動をより抑制することができる。
【００１２】
特にバックアップ材が、高弾性接着剤が接着し得ない非極性物質からなるものとすれば、バックアップ材による振動の抑制に加え、高弾性接着剤がバックアップ材に拘束されずに高弾性接着剤自体が有する伸び能力を十分に発揮させることができる。
【００１３】
また、鞘管側の振動の吸収を促すことにより土砂流入防止部で起こる振動を有効に緩和するための構成として、鞘管と堤体を構成するフーチング基礎との間に、鞘管に一体的に下方に突出させて設けられたアンカーバー及びフーチング基礎に設けられた高弾性接着剤からなりアンカーバーを被覆する高弾性アンカー部とを有したフーチング接合部を具備している態様を挙げることができる。
【００１４】
振動を好適に吸収し得るフーチング接合部の具体的な構成として、フーチング基礎の上面に設けられたモルタル層及びこのモルタル層の上面側に配置された緩衝用弾性材層を有している態様を挙げることができる。
【００１５】
鞘管が上下方向に連結される複数の鞘管ブロックからなるものである場合、さらに鞘管に加わる振動を有効に緩和するための構成として、上側の鞘管ブロックに一体的に下方に突出させて設けられたアンカーバー及び下側の鞘管ブロックに設けられた高弾性接着剤からなりアンカーバーを被覆する高弾性アンカー部を有した上下方向接合部を具備している態様を挙げることができる。斯かる場合、上下方向接合部が、下側の鞘管ブロック及び上側の鞘管ブロックとの間に介在する緩衝用弾性材層を有しているものとすることが望ましい。
【００１６】
そして遊間に土砂や水が侵入することを抑制するための他の方策として、上下方向接合部が、下側の鞘管ブロック及び上側の鞘管ブロックとの間におけるに遊間に面しない緩衝用弾性材層の外面側に形成される目地部に充填された高弾性接着剤からなる目地充填部を有している態様を挙げることができる。この場合、目地充填部と緩衝用弾性材層との間に高弾性接着剤が接着し得ない非極性物質からなるバックアップ材を介在させておけば、高弾性接着剤自体の伸び能力が発揮されることにより鞘管ブロック間の水密性を有効に担保し得る。
【００１７】
そして本発明に用いる高弾性接着剤としては、エポキシ樹脂と変性シリコーン樹脂との二液性の接着剤を適用することが施工性の面でも望ましい。加えて高弾性接着剤が、コンクリート同士を接着したときの引張強度が０．２Ｎ／ｍｍ2以上の接着剤であれば、地震時の振動の際にも鞘管に加わる振動を吸収し且つ高弾性接着剤を使用した箇所の水密性を有効に担保し得る。
【発明の効果】
【００１８】
本発明によれば、長期間に亘って安定して遊間を維持することで堤防及び橋脚の強度を長期間に亘り担保することができる鞘管構造を提供することができる。
【図面の簡単な説明】
【００１９】
【図１】本発明の一実施形態に係る外観図。
【図２】同実施形態に係る構成説明図。
【図３】同実施形態に係る鞘管ブロックの平断面図。
【図４】同実施形態に係る要部の縦断面図。
【図５】同実施形態に係るフーチング接合部の構成説明図。
【図６】同上下方向接合部の構成説明図。
【図７】同流入防止部の構成説明図。
【図８】同実施形態に係る作用説明図。
【発明を実施するための形態】
【００２０】
以下、本発明の一実施の形態について図面を参照して説明する。
【００２１】
本実施形態に係る鞘管構造Ｘは、例えば河川に橋を架設する際、地形や建設事情等の理由で堤防を構成する堤体Ｔ内に橋脚Ｂを設ける場合に適用されるものである。
【００２２】
斯かる鞘管構造Ｘは、図１〜図４に示すように、堤防を構成する堤体Ｔ内に立設されるコンクリート製である橋脚Ｂと、橋脚Ｂの周囲に平面視所定寸法をなす空間である遊間Ｓを介して平面視環状に設けられたコンクリート製品である鞘管１とを有している。そして堤体Ｔと橋脚Ｂとの間の振動性状の相違を遊間Ｓに吸収させ、漏水や土砂の流失を招来しないようにするためのものである。
【００２３】
ここで、本実施形態に係る鞘管構造Ｘは、遊間Ｓの上縁において鞘管１と橋脚Ｂとの間を伸び能力が１００％〜２５０％である高弾性接着剤３ａにより密閉した土砂流入防止部３を具備することを特徴とするものである。また本実施形態に係る鞘管構造Ｘは、コンクリート同士の接合箇所に適宜高弾性接着剤３ａと同じか同種類の接着剤を用いることにより、振動性状が異なる堤体Ｔと橋脚Ｂとの間の振動の伝達を抑制している。
【００２４】
以下、鞘管構造Ｘについて具体的に説明する。
【００２５】
本実施形態に係る鞘管構造Ｘは、河川に架設される複数の橋脚Ｂのうち、堤防を構成する堤体Ｔ内に設けられたフーチング基礎Ｆ上に立設されている橋脚Ｂに対して適用される。橋脚Ｂはコンクリートを主体とし、内部に適宜鉄筋等が設けられている構造を有しているが、当該橋脚Ｂの具体的な構造は既存の種々の構造を適用し得るため、本実施形態では具体的な説明を省略する。
【００２６】
そして本実施形態では、フーチング基礎Ｆ上には橋脚Ｂの他、フーチング接合部２を介して鞘管１が立設される。斯かる鞘管１が立設された状態で、橋脚Ｂの周縁と鞘管１の内面との間が例えば１０〜２０ｃｍ離間し、この離間した部分が土砂や水が侵入しない遊間Ｓとなる。
【００２７】
フーチング接合部２は、図４及び図５に示すように、鞘管１と堤体Ｔを構成するフーチング基礎Ｆとの間に、鞘管１に一体的に下方に突出させて設けられた棒状の金属からなるアンカーバー２ｃと、フーチング基礎Ｆに設けられたアンカーバー２ｃを被覆する高弾性アンカー部たる高弾性接着剤２ａと、この高弾性接着剤２ａを注入するためのフーチング基礎Ｆに埋設された例えば円筒状の容器であるアンカーキャップ２ｄと、フーチング基礎Ｆ上に敷設された敷モルタル２ｇと、この敷モルタル２ｇと鞘管１との間に介在する緩衝用弾性材層たる緩衝用ゴム２ｅとを有している。
【００２８】
高弾性接着剤２ａは、本実施形態では伸び能力が１００％〜２５０％であり、密度は０．７〜１．２ｇ／ｃｍ3である。この高弾性接着剤２ａは、例えば、エポキシ樹脂からなる主剤と、変性シリコーンからなる硬化剤とを主体とした注入工法用のもの、或いはコーキング工法用のものを用いることができる。また、この高弾性接着剤２ａには、前記主剤及び硬化剤に加え、上記の密度を得るために、適宜超軽量の粉体等を添加している。またこの高弾性接着剤２ａは、施工する季節や環境によって変化する温度条件に応じて、注入工法用のものは温度が高い順から夏用、一般用、冬用及び寒冷地用という４タイプのものから、コーキング工法用のものは一般用、冬用及び寒冷地用という３タイプのものから最も適したものを選択し得る。さらに、硬化剤に触媒を適宜添加して反応速度をコントロールすることにより、外気温に適した適切な可使時間が得られるとともに、施工完了時間を外気温に適した適切な範囲に収めることができる。そして本実施形態では、何れの高弾性接着剤２ａを用いた場合であっても、コンクリート同士を接着したときの引張強度が０．２Ｎ／ｍｍ2以上となるようにしている。
【００２９】
当該高弾性接着剤２ａのうち、注入工法用のものとコーキング工法用のものでは伸び能力に差がないものの、コーキング工法用のものの方が密度は若干低く、且つ粘度が高いという特性を有する。このフーチング接合部２に用いる高弾性接着剤２ａは、施工時におけるアンカーキャップ２ｄへの注入作業の効率を鑑みると、注入工法用のものがより適していると考えられる。
【００３０】
鞘管１は、図１〜図８に示すように、鞘管１が上下方向に連結される複数の鞘管ブロックからなるものである。具体的には、鞘管１は、各鞘管ブロックであるＣ字ブロック１０ａ及び直線ブロック１０ｂを互いに水平方向接合部１２により接合し、且つ、上下方向接合部１１によって上下に重層されるＣ字ブロック１０ａ同士並びに直線ブロック１０ｂ同士を接合している。
【００３１】
水平方向接合部１２は、水平方向に並ぶ各鞘管ブロックであるＣ字ブロック１０ａ及び直線ブロック１０ｂを図示しない緩衝用ゴムを介在させた状態で、例えば連結金具及びボルトを用いた接続、機械式継ぎ手を用いた接続、及び、ＰＣ鋼棒を用いた接続といった既存の種々の接合方法を適用し得る。それ故に本実施形態ではこれら水平方向接合部１２の具体的な構造や接合方法並びに図示を省略している。
【００３２】
上下方向接合部１１は、図４及び図６に示すように、上側の鞘管ブロックたるＣ字ブロック１０ａ又は直線ブロック１０ｂに一体的に下方に突出させて設けられたアンカーバー１１ｃと、下側のＣ字ブロック１０ａ又は直線ブロック１０ｂに設けられたアンカーバー１１ｃを被覆する高弾性アンカー部たる高弾性接着剤１１ａと、この高弾性接着剤１１ａを収容するために下側のＣ字ブロック１０ａ又は直線ブロック１０ｂに埋設されたアンカーキャップ１１ｄと、上下の鞘管ブロックたるＣ字ブロック１０ａ又は直線ブロック１０ｂ間に介在する緩衝用弾性材層たる緩衝用ゴム１１ｅと、遊間Ｓに面しない緩衝用ゴム１１ｅの外面側に形成される目地部に充填された高弾性接着剤からなる目地充填部１１ｆと、この目地充填部１１ｆと緩衝用ゴム１１ｅとの間に高弾性接着剤からなる目地充填部１１ｆが接着し得ない非極性物質からなるバックアップ材１１ｂとを具備している。
【００３３】
当該上下方向接合部１１におけるアンカーキャップ１１ｄ内に配置された高弾性接着剤は上記フーチング接合部２に用いられたもの同様、アンカーキャップ１１ｄへの注入作業の効率を鑑みると注入工法用のものを用いることが望ましい。一方、目地充填部１１ｆに用いられる高弾性接着剤は、充填時の垂れをより抑制するためにコーキング工法用のものを用いることが望ましいと考えられる。
【００３４】
しかして本実施形態では上述したとおり、遊間Ｓの上縁において鞘管１と橋脚Ｂとの間を伸び能力が１００％〜２５０％である高弾性接着剤３ａにより密閉した土砂流入防止部３を具備することを特徴とする。この土砂流入防止部３は、図４、図７及び図８に示すように、鞘管１の上面に略面一となるよう配された高弾性接着剤３ａを主体としている。そして当該土砂流入防止部３はこの高弾性接着剤３ａの他、高弾性接着剤３ａを下方から支持する弾性変形可能なバックアップ材３ｂと、高弾性接着剤の上面から鞘管１の上面の一部に亘って塗布される表面保護剤３ｈとを有している。そして本実施形態ではバックアップ材３ｂを高弾性接着剤３ａが接着し得ない、例えばポリエチレンやポリプロピレンといった非極性物質からなるものとしている。この土砂流入防止部３に用いられる高弾性接着剤３ａは、施工時は橋脚Ｂと鞘管１との間に隙間無く敷き詰められたバックアップ材３ｂの上面へ、液面が鞘管１の上面に対し略面一となるまで流し込めば良いが、この施工時での下方への垂れをより抑制するためにコーキング工法用のものを用いることが望ましいと考えられる。また表面保護剤３ｈは、高弾性接着剤３ａを日射による紫外線や風雨から保護し得る適宜の塗料等を用いる事ができる。
【００３５】
そして本実施形態では、図８（ａ）に示す通常の状態から橋脚Ｂ及び堤体Ｔの間の振動特性の相違や地震時等により遊間Ｓの上縁における鞘管１及び橋脚Ｂの離間寸法が変化し、例えば同図（ｂ）に示すように離間寸法が一時的に大きくなったとしても、高弾性接着剤３ａは伸び能力が１００％〜２５０％という値を示しているので、鞘管１及び橋脚Ｂに接着した接着面３ａ１の接着を維持しながら遊間Ｓの上縁が密閉された状態を維持することができる。特に本実施形態では、バックアップ材として、高弾性接着剤が接着し得ない非極性物質としているため、同図（ｂ）に示すように、高弾性接着剤は鞘管１及び橋脚Ｂに接着した接着面３ａ１の接着を維持しながらバックアップ材に面した接着面３ａ２がバックアップ材３ｂに対し適宜離間することにより、当該バックアップ材３ｂに干渉されず、伸び能力がいかんなく発揮される。
【００３６】
以上のような構成とすることにより、本実施形態に係る鞘管構造Ｘでは、橋脚Ｂ及び鞘管１の振動によって遊間Ｓの寸法の変位が起こっても高弾性接着剤が適宜伸縮することによって遊間Ｓの上端が密閉された状態を安定して維持される。その結果、長期間に亘って安定して遊間Ｓを維持することで堤防及び橋脚Ｂの強度を長期間に亘り担保することができる鞘管構造Ｘを実現している。
【００３７】
また、施工時に高弾性接着剤が垂れ下がってしまうことなく所要の形状に土砂流入防止部３を仕上げやすいものとしつつ所要の接着力を担保するために本実施形態では、土砂流入防止部３に用いている高弾性接着剤３ａのみならず、他の箇所に用いられている各高弾性接着剤２ａ、１１ａ、１１ｆは、その密度が０．７〜１．２ｇ／ｃｍ3であるものを専ら用いている。
【００３８】
そして本実施形態では、土砂流入防止部３における高弾性接着剤３ａを下方からバックアップ材３ｂが支持するようにしているので、簡便な施工及びバックアップ材３ｂ自体の弾性によるさらなる振動吸収能力の向上を両立させている。
【００３９】
特に本実施形態では、バックアップ材３ｂが、高弾性接着剤３ａが接着し得ないポリエチレンやポリプロピレンといった非極性物質からなるものとし、バックアップ材３ｂによる振動の抑制に加え、高弾性接着剤３ａが接着面３ａ２により接着せずにバックアップ材３ｂに接しているのみの状態が実現されている。その結果高弾性接着剤３ａはバックアップ材に拘束されずに高弾性接着剤３ａ自体が有する伸び能力を十分に発揮できるようになっている。
【００４０】
また、鞘管１側の振動の吸収を促すことにより土砂流入防止部３で起こる振動を有効に緩和するための構成として本実施形態では、フーチング接合部２を設けている。これにより、振動はアンカーバー２ｃ及びアンカーキャップ２ｄ内の高弾性接着剤２ａの相対動作により有効に抑制されるので、土砂流入防止部３で起こる振動抑制のみならず鞘管１自体の耐震性をも向上せしめている。さらにこのフーチング接合部２の具体的な構成として、フーチング基礎Ｆの上面に設けられたモルタル層たる敷モルタル２ｇ及び緩衝用弾性材層たる緩衝用ゴム２ｅを配することで、振動を吸収する性能をより向上せしめている。
【００４１】
さらに本実施形態では、鞘管１が上下方向に連結される複数の鞘管ブロックたるＣ字ブロック１０ａ及び直線ブロック１０ｂからなるものとし、高弾性アンカー部たる高弾性接着剤１１ａでアンカーバーを被覆する構成をなす上下方向接合部１１を設けることで、振動はアンカーバー１１ｃ及びアンカーキャップ１１ｄ内の高弾性接着剤１１ａの相対動作により有効に抑制されるので、鞘管１自体も振動を有効に吸収し得る。加えて上下のＣ字ブロック１０ａ及び直線ブロック１０ｂ間に緩衝用弾性材層たる緩衝用ゴム１１ｅを介在させ、斯かる振動を吸収する性能をより向上させている。
【００４２】
加えて本実施形態では上下のＣ字ブロック１０ａ及び直線ブロック１０ｂ間に形成される目地部に高弾性接着剤を充填した目地充填部１１ｆを設ける事により、鞘管１自体の水密性並びに密閉性能をさらに向上せしめ、遊間Ｓへの土砂や水の侵入を有効に回避せしめている。そして目地充填部１１ｆと緩衝用ゴム１１ｅとの間に非極性物質からなるバックアップ材１１ｂを介在させることにより目地充填部１１ｆは上下のコンクリート表面のみに接着したいわゆる二面接着状態が実現され高弾性接着剤自体の伸び能力が発揮され、鞘管１自体の水密性をより有効に担保せしめている。
【００４３】
以上、本発明の実施形態について説明したが、各部の具体的な構成は、上述した実施形態のみに限定されるものではなく、本発明の趣旨を逸脱しない範囲で種々変形が可能である。
【００４４】
例えば、上記実施形態では高弾性接着剤が有する振動を吸収する性能を有効に利用した上下方向接合部のみによって上下方向の鞘管ブロックを接続する態様を開示したが、勿論、上記水平方向接続部に準じた既存の接合方法を代わりに、或いは一部に適用したものであってもよい。また鞘管の平面視形状は上記実施形態のものに限られず、適用する橋脚の形状によって適宜の形状となり得ることはいうまでもない。またアンカーバーやアンカーキャップの具体的な寸法を始めとした詳細な態様は上記実施形態のものに限定されることはなく、既存のものを含め、種々の態様のものを適用することができる。
【００４５】
その他、各部の具体的構成についても上記実施形態に限られるものではなく、本発明の趣旨を逸脱しない範囲で種々変形が可能である。
【実施例】
【００４６】
以下、本発明の実施例について説明する。なお当該実施例は本発明を何ら限定するものではない。
【００４７】
そして本発明に用いる高弾性接着剤としては上記の実施形態でも記したとおり、エポキシ樹脂と変性シリコーン樹脂との二液性の接着剤を適用し、容易な施工及び優れた伸び能力を両立させている。
【００４８】
また本発明に用いる高弾性接着剤は何れも、コンクリート同士を接着したときの引張強度が０．２Ｎ／ｍｍ2以上の接着剤としているので、地震時の振動の際にも鞘管に加わる振動を吸収し且つ高弾性接着剤を使用した箇所の水密性を有効に担保し得る。
【００４９】
以下に本発明の一実施例として、上記実施形態に使用し得る高弾性接着剤の性状及び物性について述べる。
【００５０】
高弾性接着剤は、混合時の粘度が大きく異なる注入工法用のものとコーキング工法用のものが、適用される箇所や環境に応じて適宜使い分けられる。また施工時の温度条件に応じて、注入工法用の高弾性接着剤は冬用、一般用、夏用及び寒冷地用のものから、コーキング工法用のものでは冬用、一般用及び寒冷地用のものから最適なものを適用することによりー５℃から４０℃の環境に至るまで、すなわち施工箇所のみならず季節や地域に拘わらず、容易且つ確実な施工が実現される。
【００５１】
本実施例では、注入工法用並びにコーキング工法用の計７種類の高弾性接着剤に対し、それぞれ性状と物性を示すとともに、引張付着強さ試験の結果をそれぞれ示す。また本実施例における粘度の測定はＪＩＳ  Ｋ  ６８３３「接着剤の一般試験方法  ６．３  粘度」に準じた方法によって測定した。混合物の比重についてはＪＩＳ  Ｋ  ７１１２に準じた方法によって測定した。
【００５２】
注入工法用の高弾性接着剤（冬用）の性状と物性を表１及び表２にそれぞれ示す。
【００５３】
【表１】
2015151755.tif 000003
【００５４】
【表２】
2015151755.tif 000004
注入工法用の高弾性接着剤（一般用）の性状と物性を表３及び表４にそれぞれ示す。
【００５５】
【表３】
2015151755.tif 000005
【００５６】
【表４】
2015151755.tif 000006
注入工法用の高弾性接着剤（夏用）の性状と物性を表５及び表６にそれぞれ示す。
【００５７】
【表５】
2015151755.tif 000007
【００５８】
【表６】
2015151755.tif 000008
注入工法用の高弾性接着剤（寒冷地用）の性状と物性を表７及び表８にそれぞれ示す。
【００５９】
【表７】
2015151755.tif 000009
【００６０】
【表８】
2015151755.tif 000010
上記した何れの接着剤も粘度が１０００〜１２０００ｍＰａ・Ｓである点、可使時間が１５〜３３０分である点、試験者の指触より硬化が観察されるまでの指触硬化時間が１時間〜４４時間である点、密度が０．８〜１．２ｇ／ｃｍ3である点が確認された。
【００６１】
上述した各注入工法用の高弾性接着剤に対し行った引張付着強さ試験の結果をそれぞれ表９及び表１０に示す。
【００６２】
【表９】
2015151755.tif 000011
【００６３】
【表１０】
2015151755.tif 000012
以上より、コンクリート面と接着した状態における注入工法用の４タイプの高弾性接着剤（夏用、一般用、冬用、寒冷地用）の最大の伸び量は、低温下（０℃）においても常温下（２０℃）と同等又はそれ以上であり、レベル２地震動を想定した継手部の許容軸方向変位量すなわち伸び能力が１００％以上となることが確認された。さらに、何れの接着剤においても試験時の付着強度である引張強度が０．２Ｎ／ｍｍ2以上である点、伸び能力が２５０％以上となっている点も併せて確認された。
【００６４】
続いて、コーキング工法用の高弾性接着剤（一般用）の性状と物性を表１１及び表１２にそれぞれ示す。
【００６５】
【表１１】
2015151755.tif 000013
【００６６】
【表１２】
2015151755.tif 000014
コーキング工法用の高弾性接着剤（冬用）の性状と物性を表１３及び表１４にそれぞれ示す。
【００６７】
【表１３】
2015151755.tif 000015
【００６８】
【表１４】
2015151755.tif 000016
コーキング工法用の高弾性接着剤（寒冷地用）の性状と物性を表１５及び表１６にそれぞれ示す。
【００６９】
【表１５】
2015151755.tif 000017
【００７０】
【表１６】
2015151755.tif 000018
上記した何れの接着剤も粘度が１０００００〜５３００００ｍＰａ・Ｓである点、可使時間が３０〜２７０分である点、試験者の指触より硬化が観察されるまでの指触硬化時間が４時間〜６０時間である点、密度が０．７〜１．１ｇ／ｃｍ3である点が確認された。
【００７１】
上述した各コーキング工法用の高弾性接着剤に対し行った引張付着強さ試験の結果をそれぞれ表１７及び表１８に示す。
【００７２】
【表１７】
2015151755.tif 000019
【００７３】
【表１８】
2015151755.tif 000020
以上より、コンクリート面と接着した状態におけるコーキング工法用の３タイプの高弾性接着剤（一般用、冬用、寒冷地用）の最大の伸び量は、低温下（０℃）においても常温下（２０℃）と同等又はそれ以上であり、レベル２地震動を想定した継手部の許容軸方向変位量すなわち伸び能力が１００％以上となることが確認された。
【産業上の利用可能性】
【００７４】
本発明は堤防を構成する堤体及び当該堤体内に立設される橋脚との間に遊間を形成すべく鞘管を設けた鞘管構造として利用することができる。
【符号の説明】
【００７５】
Ｘ…鞘管構造
１…鞘管
１０ａ…鞘管ブロック（Ｃ字ブロック）
１０ｂ…鞘管ブロック（直線ブロック）
１１…上下方向接合部
１１ａ…高弾性アンカー部（高弾性接着剤）
１１ｃ…アンカーバー
２…フーチング接合部
２ａ…高弾性アンカー部（高弾性接着剤）
２ｃ…アンカーバー
３…土砂流入防止部
３ａ…高弾性接着剤
３ｂ…バックアップ材
Ｆ…フーチング基礎
Ｂ…橋脚
Ｓ…遊間
Ｔ…堤体
【図１】
2015151755.tif 000021
【図２】
2015151755.tif 000022
【図３】
2015151755.tif 000023
【図４】
2015151755.tif 000024
【図５】
2015151755.tif 000025
【図６】
2015151755.tif 000026
【図７】
2015151755.tif 000027
【図８】
2015151755.tif 000028
【手続補正書】
【提出日】平成27年5月14日(2015.5.14)
【手続補正１】
【補正対象書類名】特許請求の範囲
【補正対象項目名】全文
【補正方法】変更
【補正の内容】
【特許請求の範囲】
【請求項１】
堤防を構成する堤体内に立設されるコンクリート製である橋脚と、
前記橋脚の周囲に平面視所定寸法をなす空間である遊間を介して平面視環状に設けることにより前記橋脚から離間して設けられ上端部分が地表に露出する程度まで土砂で覆われた状態であるコンクリート製品である鞘管と、
前記遊間の上縁において前記鞘管と前記橋脚との間を前記鞘管の上面に略面一となるよう配された伸び能力が１００％〜２５０％でありコンクリート同士を接着したときの引張強度が０．２Ｎ／ｍｍ2以上の高弾性接着剤により密閉した土砂流入防止部とを具備することを特徴とする鞘管構造。
【請求項２】
前記高弾性接着剤の密度が０．７〜１．２ｇ／ｃｍ3である請求項１記載の鞘管構造。
【請求項３】
前記土砂流入防止部が、前記高弾性接着剤と、この高弾性接着剤を下方から支持する弾性変形可能なバックアップ材とを有している請求項１又は２記載の鞘管構造。
【請求項４】
前記バックアップ材が、前記高弾性接着剤が接着し得ない非極性物質からなる請求項３記載の鞘管構造。
【請求項５】
前記鞘管と前記堤体を構成するフーチング基礎との間に、前記鞘管に一体的に下方に突出させて設けられたアンカーバー及び前記フーチング基礎に設けられた前記高弾性接着剤からなり前記アンカーバーを被覆する高弾性アンカー部とを有したフーチング接合部を具備している請求項１、２、３又は４記載の鞘管構造。
【請求項６】
前記鞘管が上下方向に連結される複数の鞘管ブロックからなるものであり、
上側の前記鞘管ブロックに一体的に下方に突出させて設けられたアンカーバー及び下側の前記鞘管ブロックに設けられた前記高弾性接着剤からなり前記アンカーバーを被覆する高弾性アンカー部を有した上下方向接合部を具備している請求項１、２、３、４又は５記載の鞘管構造。
【手続補正２】
【補正対象書類名】明細書
【補正対象項目名】０００８
【補正方法】変更
【補正の内容】
【０００８】
すなわち本発明に係る鞘管構造は、堤防を構成する堤体内に立設されるコンクリート製である橋脚と、前記橋脚の周囲に平面視所定寸法をなす空間である遊間を介して平面視環状に設けることにより前記橋脚から離間して設けられ上端部分が地表に露出する程度まで土砂で覆われた状態であるコンクリート製品である鞘管と、前記遊間の上縁において前記鞘管と前記橋脚との間を前記鞘管の上面に略面一となるよう配された伸び能力が１００％〜２５０％でありコンクリート同士を接着したときの引張強度が０．２Ｎ／ｍｍ2以上の高弾性接着剤により密閉した土砂流入防止部とを具備することを特徴とする。